(57)【要約】      （修正有）【課題】天板が大形のテーブルであっても、天板の撓みを極力抑えてその平面保持を維持するようにしたテーブルのフレーム構造を提供すること。【解決手段】天板２ｂの両側下面側が支持脚８を有する一対の側部フレーム４に支持されると共に、一対の側部フレーム４間を連結する中間フレーム１２により支持され、一対の側部フレーム４内側面２５ａの長手方向にあって、斜め上方に傾斜する溝条２０に係止片２２を係合した状態で取付金具１４を螺着し、中間フレーム１２の両側に対向する各取付金具１４を内挿して取付けた構成とすることで、天板２の撓み度合いが少ないばかりでなく、側部フレーム４が天板２からの押圧力で撓み力が与えられても、中間フレーム１２に内挿された取付金具１４の係合片２２で側部フレーム１２の撓みを抑えているので、天板２の平面が維持される。【選択図】図４
2005185641.tif 000002
【特許請求の範囲】
【請求項１】
天板の両側下面側がそれぞれ、支持脚を有する一対の側部フレームと、この一対の側部フレーム間を連結する中間フレームとにより支持されるテーブルのフレーム構造であって、前記一対の側部フレームの互いの対向する内側面に、該側部フレームの長手方向に沿い、かつ斜め上方に傾斜する溝条を設けるとともに、該溝条に係合可能な係合片を有する取付金具を両側部フレームの互いの対向する内側面に、前記係止片を溝条に係合した状態で螺着し、前記中間フレームの両側は前記各取付金具を内挿して該取付金具に取付けることを特徴とするテーブルのフレーム構造。
【請求項２】
前記天板は側部フレーム及び中間フレームに設けた支持金具を介して支持されている請求項１に記載のテーブルのフレーム構造。
【請求項３】
前記中間フレームの両側端面は一対の側部フレームの互いの対向する内側面に当接している請求項１または２に記載のテーブルのフレーム構造。
【請求項４】
前記中間フレームは中間脚を有している請求項１ないし３のいずれかに記載のテーブルのフレーム構造。
【請求項５】
前記中間フレームは管状体である請求項１ないし４のいずれかに記載のテーブルのフレーム構造。
【発明の詳細な説明】
【技術分野】
【０００１】
本発明は、天板の両側下面側がそれぞれ、支持脚を有する一対の側部フレームと、この一対の側部フレーム間を連結する中間フレームとにより支持されるテーブルのフレーム構造に関する。
【背景技術】
【０００２】
支持脚を有する一対の側部フレームとこの一対の側部フレーム間を連結する中間フレームを備えたテーブルは従来より知られていた。（例えば、特許文献１、２参照）。この従来のテーブルは中間フレームが一対の側部フレームを連結しているため枠組み構造が強固に構築でき、天板の大きなテーブルに向いていた。
【０００３】
【特許文献１】特許第２６３６４９５明細書（第２図）
【特許文献２】特開平１１−４２１２２号公報（第４図）
【発明の開示】
【発明が解決しようとする課題】
【０００４】
しかしながら、従来のこのようなテーブルは、天板が一対の側部フレームとしか連結していないため、側部フレームに撓みが生じ、天板が大形になると天板の平面保持に問題が生じる恐れがあった。
【０００５】
本発明は、このような事情のもとに開発されたもので、天板が大形のテーブルであっても、天板の撓みを極力抑えてその平面状態を保持するようにしたテーブルのフレーム構造を提供することを目的とする。
【課題を解決するための手段】
【０００６】
上記の目的を解決するために、本発明の請求項１に記載のテーブルのフレーム構造は、天板の両側下面側がそれぞれ、支持脚を有する一対の側部フレームと、この一対の側部フレーム間を連結する中間フレームとにより支持されるテーブルのフレーム構造であって、前記一対の側部フレームの互いの対向する内側面に、該側部フレームの長手方向に沿い、かつ斜め上方に傾斜する溝条を設けるとともに、該溝条に係合可能な係合片を有する取付金具を両側部フレームの互いの対向する内側面に、前記係止片を溝条に係合した状態で螺着し、前記中間フレームの両側は前記各取付金具を内挿して該取付金具に取付けることを特徴としている。
この特徴によれば、天板は中間フレームに支持されているために撓み度合いが少ないばかりでなく、側部フレームが天板からの押圧力で撓み力が与えられても、中間フレームに内挿された取付金具の係合片で側部フレームの撓みを抑えているので、天板の平面状態が保持される。
【０００７】
本発明の請求項２に記載のテーブルのフレーム構造は、請求項１に記載のテーブルのフレーム構造であって、前記天板は側部フレーム及び中間フレームに設けた支持金具を介して支持されていることを特徴としている。
この特徴によれば、中間フレームにも支持金具を介して天板を支持できるので、天板の中央部の撓みも抑えることができる。
【０００８】
本発明の請求項３に記載のテーブルのフレーム構造は、請求項１または２に記載のテーブルのフレーム構造であって、前記中間フレームの両側端面は一対の側部フレームの互いの対向する内側面に当接していることを特徴としている。
この特徴によれば、中間フレームの両側端面が側部フレームの内側面と当接していることにより、より強固な枠構造体が得られる。
【０００９】
本発明の請求項４に記載のテーブルのフレーム構造は、請求項１ないし３のいずれかに記載のテーブルのフレーム構造であって、前記中間フレームは中間脚を有していることを特徴としている。
この特徴によれば、中間フレームを中間脚で支持することにより、中間フレーム自体の撓みも抑えることができる。
【００１０】
本発明の請求項５に記載のテーブルのフレーム構造は、請求項１ないし４のいずれかに記載のテーブルのフレーム構造であって、前記中間フレームは管状体であることを特徴としている。
この特徴によれば、容易に内側枝部材を内挿させることができ組み付けし易く、取付金具４内挿のための加工が省かれ、テーブルの軽量化も図かれる。
【発明を実施するための最良の形態】
【００１１】
本発明の実施例を以下に説明する。
【実施例】
【００１２】
本発明の実施例を図面に基づいて説明すると、先ず図1は本発明の実施例に係るフレーム構造が採用されたテーブルの全体斜視図、図２は側部フレームに取付金具を介して中間フレームを連結する連結部を示す部分断面図、図３は側部フレームに取付金具を介して中間フレームを連結する状態を示す分解斜視図、図４（ａ）は側部フレームに取付金具を介して中間フレームが連結された状態であって一部断面を側面図、（ｂ）は（ａ）のＡ−Ａ断面図であり、図５は天板のコーナー部を支持脚により支持するフレームコーナー部の連結部を示す分解斜視図である。
【００１３】
先ず図1及び図２に示す符号１はテーブルであって、このテーブル１は横長矩形状に形成され長手方向の中間部で２分割された分割天板２ａ，２ｂで構成される天板２と、この天板２の長手方向両側を支持すべく長尺の２本の対向する側部フレーム４と、天板２の両端側部を支持すべく短尺の２本の端部フレーム６と、側部フレーム４と端部フレーム６の端部を４箇所で連結するコーナー連結部材５と、このコーナー連結部材５の下面に固定される４本のＬ字形断面に形成され下端面に高さ調整用の図示しないジャッキボルトを備えた支持脚８と、両側部フレーム４の中間部を連結すべく中央部位に２本の中間脚１０ａ，１０ｂを有する中間フレーム１２と、中間フレーム１２の両端を両側部フレーム４中間部の対向する内側面２５ａに連結する一対の取付金具１４とから構成されている。
【００１４】
両側部フレーム４は、垂直な内側面２５ａとこの内側面２５ａに直交する水平面２５ｂと外側に形成される斜面２５ｃから成る断面が三角形状の引抜きアルミ材で形成され、両側部フレーム４の対向する内側面２５ａの上方には、断面斜め上方を向く溝条２０が長手方向に形成されると共に対向する内側面２５ａの長手方向中間部には一対のネジ穴２６が形成されている。
【００１５】
また、両端部フレーム６は、図５に示すように、前記両側部フレーム４と同じ中空断面の三角形状に引抜きアルミ材で形成されており、これら側部フレーム４および端部フレーム６の両端内部には、取付け嵌合溝４ａおよび６ａが形成されている。
【００１６】
次に、取付金具１４は、図２、図３に示すように例えば鋼板を平面視コ字状に折曲形成して両側に対向形成される一対の垂直な側板１８ａ，１８ｂと、両側板１８ａ，１８ｂの片側端部に連絡され上端に斜め上方に向く係合片２２を形成した垂直な端板１６と、両側板１８ａ，１８ｂ下方の対向面に両端が溶接接合され上面に複数の溶接ナットＮを配設した底面板２４とから構成されている。
【００１７】
両側部フレーム４の中間部を連結する中間フレーム１２は、図４の（ａ）、（ｂ）に示すように断面が角筒状に形成されて中央部位には２本の中間脚１０ａ，１０ｂが垂直に溶接接合され、中間脚１０ａ，１０ｂの下端に設けた底板３５には、その内側上面に設けた溶接ナットＮに高さ調整用のジャッキボルト３４がそれぞれ螺挿されている。
【００１８】
一方、側部フレーム４と端部フレーム６の端部をそれぞれ連結するコーナー連結部材５は、図５に示すように、両側端部に互いに直交する接合面ｔ１，ｔ２を有するリブ３７ａ，３７ｂと、これら接合面ｔ１，ｔ２より突設している嵌合突起３６ａ，３６ｂと、平面視Ｌ字形に形成された上部支持板５ｃの下面に設けられた互いに直交する垂直な取付け面５ａ，５ｂとが形成されている。
【００１９】
次に、テーブル１のフレームを組み立てる手順に付き詳述する。
【００２０】
先ず、図２、図３に示すように、対向する長尺の両側部フレーム４中間部における内側面２５ａに形成した斜め上方を向く溝条２０に取付金具１４の斜め上方に向く係合片２２を挿入係合し、垂直な端板１６を側部フレーム４の内側面２５ａに当接した状態で端板１６に形成される挿通孔１６ａ，１６ｂより挿通した図示しないボルトを一対のネジ穴２６に螺着することで一対の取付金具１４が取付けられる。
【００２１】
次いで、中間フレーム１２の２本の中間脚１０ａ，１０ｂを下に向けた状態で、中間フレーム１２両端の開口を両取付金具１４に挿嵌すると共に、この中間フレーム１２両端を両側部フレーム４の垂直な内側面２５ａに当接し、中間フレーム１２両端底面から挿通した３本のボルト３０を取付金具１４底面板２４上の溶接ナットＮに螺着して両側部フレーム４の中間部に中間フレーム１２が連結される。
【００２２】
次に、図５に示すように、フレームのコーナー部を形成するに際し、長尺の２本の対向する側部フレーム４と２本の端部フレーム６両端をコーナー連結部材５を介して連結する。この連結に際し、コーナー連結部材５両端の嵌合突起３６ａ，３６ｂを側部フレーム４の端部と端部フレーム６の端部に形成された取付け嵌合溝４ａおよび６ａに差込み、その取付け面を突き当てた状態で、内側面２５ａ側から挿通した図示しないボルトを介して固定することで、４箇所のコーナー部がコーナー連結部材５によって連結される。
【００２３】
コーナー連結部材５の垂直な取付け面５ａ，５ｂに断面Ｌ字状の支持脚８内側の直交する内側面８ａ，８ｂを当接させて支持脚８の上端を図示しないボルトにより固定し、４箇所のコーナー部に４本の支持脚８が固定される。
【００２４】
これにより、テーブル１のフレームが組立てられると、図４の（ａ），（ｂ）に示すように中間フレーム１２の前後端部近傍ないし中間部の両側面上部にＬ字形に折曲形成された複数の支持金具３２が、中間フレーム１２の上面より取付け面が若干量（δｍｍ）均一に突出するようにネジを介して取付けられる。
【００２５】
更に、矩形状に組み立てられた一対の側部フレーム４と端部フレーム６の対向する内側面２５ａには、両端近傍ないし中間部位には所定間隔毎に複数の支持金具３２が前記各側部フレーム４と端部フレーム６の上面より取付け面が若干量（δｍｍ）均一に突出するようにネジを介して取付けられる。
【００２６】
次に、コーナー部に設けた４本の支持脚８と中間フレーム１２の中央部位に設けた２本の中間脚１０ａ，１０ｂにより矩形状に組み立てられた各フレームが床面Ｆ上で支持される。
【００２７】
そこで、コーナー部に設けた４本の支持脚８のジャッキボルト（図示せず）により側部フレーム４と端部フレーム６コーナー部の水平度が調整され、次いで中間フレーム１２中央部位の中間脚１０ａ，１０ｂのジャッキボルト３４を調整して水平度を出すことで両側部フレーム４の中間部位が水平に支持される。
【００２８】
次いで、各フレームに取付けられた複数の支持金具３２の取付け面上に２分割された分割天板２ａ、２ｂを、分割部位Ｔを接合した状態でネジを介して取付けられる。
【００２９】
このように構成されたテーブルのフレーム構造によれば、天板２が中間フレーム１２に支持されているために撓み度合いが少ないばかりでなく、両側部フレーム４が天板２からの押圧力で撓み力が与えられても、中間フレーム１２に内挿された取付金具１４の係合片２２で両側部フレーム４の撓みを抑えているので、天板２の平面状態を保持することができる。
【００３０】
また、中間フレーム１２にも取付金具１４を介して天板２を支持できるので、天板２の中央部の撓みも抑えることができ、中間フレーム１２の両側端面が側部フレーム４の内側面２５ａと当接していることにより、より強固な枠構造体が得られる。加えて、中間フレーム１２を中間脚１０ａ，１０ｂで支持することにより、中間フレーム１２自体の撓みも抑えることができる。
【００３１】
更に、中間フレーム１２を管状体とすることで、容易に取付金具４を内挿させることができ、かつ取付金具４内挿のための加工が省かれ、テーブルの軽量化も図かれる。
【００３２】
以上、本発明の実施例を図面により説明してきたが、具体的な構成はこれら実施例に限られるものではなく、例えば、本実施例においては天板を側部フレームや中間フレームの上面よりδだけ浮かせて取付けているが、接して取付けるようにしても良い。また、天板を分割天板とし、中間フレームのところで支持させているが、一枚の長大天板に対しても適用できることは言うまでもない。
【図面の簡単な説明】
【００３３】
【図１】本発明の実施例に係るフレーム構造が採用されたテーブルの全体斜視図である。
【図２】側部フレームに取付金具を介して中間フレームを連結する連結部を示す部分断面図である。
【図３】側部フレームに取付金具を介して中間フレームを連結する状態を示す分解斜視図である。
【図４】（ａ）は側部フレームに取付金具を介して中間フレームが連結された状態であって一部断面を側面図、（ｂ）は（ａ）のＡ−Ａ断面図である。
【図５】天板のコーナー部を支持脚により支持するフレームコーナー部の連結部を示す分解斜視図である。
【符号の説明】
【００３４】
１                テーブル
２                天板
２ａ，２ｂ        分割天板
４                側部フレーム
４ａ              取付け嵌合溝
５                コーナー連結部材
５ａ，５ｂ        取付け面
５ｃ              上部支持板
６                端部フレーム
６ａ              取付け嵌合溝
８                支持脚
８ａ，８ｂ        内側面
１０ａ，１０ｂ    中間脚
１２              中間フレーム
１４              取付金具
１６              端板
１６ａ，１６ｂ    挿通孔
１８ａ，１８ｂ    側板
２０              溝条
２２              係合片
２４              底面板
２５ａ            内側面
２５ｂ            水平面
２５ｃ            斜面
２６              ネジ穴
３０              ボルト
３２              支持金具
３４              ジャッキボルト
３５              底板
３６ａ，３６ｂ    嵌合突起
３７ａ，３７ｂ    リブ
Ｆ                床面
Ｎ                溶接ナット
Ｔ                分割部位
ｔ１，ｔ２        接合面
【図１】
2005185641.tif 000003
【図２】
2005185641.tif 000004
【図３】
2005185641.tif 000005
【図４】
2005185641.tif 000006
【図５】
2005185641.tif 000007